(57)【要約】【課題】  画像データの特性に適した色変換を行う画像処理装置および画像処理プログラムを提供することにある。【解決手段】  印刷出力された原稿を読み取ることで得られる画像データに所定の色変換を行う画像処理装置であって、前記原稿の印刷出力における出力条件を示す原稿特性情報が付与された前記原稿から、原稿画像を読み取って前記原稿画像の画像データを生成する画像読み取り手段と、前記原稿画像を読み取った原稿の原稿特性情報を取得する原稿特性取得手段と、前記画像データに、前記取得した原稿特性情報が示す条件に対応した色変換を行う色変換手段とを有する。【選択図】    図７
2011151486.tif 000002
【特許請求の範囲】
【請求項１】
印刷出力された原稿を読み取ることで得られる画像データに所定の色変換を行う画像処理装置であって、
前記原稿の印刷出力における出力条件を示す原稿特性情報が付与された前記原稿から、原稿画像を読み取って前記原稿画像の画像データを生成する画像読み取り手段と、
前記原稿画像を読み取った原稿の原稿特性情報を取得する原稿特性取得手段と、
前記画像データに、前記取得した原稿特性情報が示す条件に対応した色変換を行う色変換手段と、を有することを特徴とする画像処理装置。
【請求項２】
請求項１において、
前記色変換手段の色変換特性は、前記画像読み取り手段が基準画像を読み取る場合の基準画像と読み取った画像データとの読み取り特性に基づく第１の色変換特性を有し、
前記色変換手段は、前記取得した原稿特性情報に対応する前記基準画像の前記第１の色変換特性に基づいて、前記画像データを色変換することを特徴とする画像処理装置。
【請求項３】
請求項２において、さらに、
前記色変換された前記画像データを印刷する印刷手段を有し、
前記色変換手段の色変換特性は、前記第１の色変換特性に加えて、前記印刷手段が基準画像データを印刷する場合の前記基準画像データと印刷画像との印刷特性に基づく第２の色変換特性を有し、
前記色変換手段は、前記取得した原稿特性情報に対応する前記基準画像の前記第１の色変換特性と前記第２の色変換特性とに基づいて、前記画像データを色変換することを特徴とする画像処理装置。
【請求項４】
請求項３において、
前記第１の色変換特性と前記第２の色変換特性は、同一のまたは別々の変換テーブルに定義されることを特徴とする画像処理装置。
【請求項５】
請求項２において、
前記色変換手段は、基準とする前記第１の色変換特性を前記取得した原稿特性情報に対応して補正し、当該補正した第１の色変換特性に基づいて前記画像データを色変換することを特徴とする画像処理装置。
【請求項６】
請求項１乃至５のいずれかにおいて、
前記原稿特性情報は、前記原稿画像を印刷した印刷装置識別名、及び前記原稿画像が印刷された紙種別のいずれかまたは両方であることを特徴とする画像処理装置。
【請求項７】
請求項１または２において、さらに、
前記色変換された前記画像データを印刷する印刷手段を有し、
前記色変換手段の色変換特性は、前記印刷手段が基準画像データを印刷する場合の基準画像データと印刷した画像との印刷特性に基づく色変換特性に所定の調整を加えた第３の色変換特性を有し、
前記色変換手段は、前記取得した原稿特性情報に対応する前記基準画像データの前記第３の色変換特性に基づいて、前記画像データを色変換することを特徴とする画像処理装置。
【請求項８】
請求項７において、
前記所定の調整とは、前記原稿特性情報に対応する画像データの色域を、前記印刷手段の色域に適合するように拡張または縮小させる調整であることを特徴とする画像処理装置。
【請求項９】
請求項７または８において、
前記色変換手段の色変換特性は、前記第３の色変換特性に加えて、前記画像読み取り手段が基準画像を読み取る場合の基準画像と読み取った画像データとの読み取り特性に基づく第１の色変換特性を有し、
前記色変換手段は、前記第１の色変換特性と、前記取得した原稿特性情報に対応する前記基準画像データの前記第３の色変換特性とに基づいて、前記画像データを色変換することを特徴とする画像処理装置。
【請求項１０】
請求項９において、
前記第１の色変換特性と前記第３の色変換特性は、同一のまたは別々の変換テーブルに定義されることを特徴とする画像処理装置。
【請求項１１】
請求項７において、
前記色変換手段は、基準とする前記第３の色変換特性を前記取得した原稿特性情報に対応して補正し、当該補正した第３の色変換特性に基づいて前記画像データを色変換することを特徴とする画像処理装置。
【請求項１２】
請求項７乃至１１のいずれかにおいて、
前記原稿特性情報は、前記原稿画像を印刷した印刷装置識別名であることを特徴とする画像処理装置。
【請求項１３】
印刷出力された原稿を読み取ることで得られる画像データに所定の色変換を行う処理をコンピューターに実行させるコンピューター読み取り可能な画像処理プログラムにおいて、
前記画像データは、画像読み取り手段によって、前記原稿の印刷出力における出力条件を示す原稿特性情報が付与された前記原稿から原稿画像が読み取られて生成された画像データであって、
前記色変換処理は、
前記原稿画像が読み取られた原稿の原稿特性情報を取得する原稿特性取得工程と、
前記画像データに、前記取得した原稿特性情報が示す条件に対応した色変換を行う色変換工程と、を有することを特徴とする画像処理プログラム。
【請求項１４】
請求項１３において、
前記色変換工程の色変換特性は、前記画像読み取り手段が基準画像を読み取る場合の基準画像と読み取った画像データとの読み取り特性に基づく第１の色変換特性を有し、
前記色変換工程は、前記取得した原稿特性情報に対応する前記基準画像の前記第１の色変換特性に基づいて、前記画像データを色変換することを特徴とする画像処理プログラム。
【請求項１５】
請求項１３または１４において、
前記色変換された前記画像データは印刷手段によって印刷され、
前記色変換工程の色変換特性は、前記印刷手段が基準画像データを印刷する場合の基準画像データと印刷した画像との印刷特性に基づく色変換特性に所定の調整を加えた第３の色変換特性を有し、
前記色変換工程は、前記取得した原稿特性情報に対応する前記基準画像データの前記第３の色変換特性に基づいて、前記画像データを色変換することを特徴とする画像処理プログラム。
【請求項１６】
請求項１５において、
前記所定の調整とは、前記原稿特性情報に対応する画像データの色域を、前記印刷手段の色域に適合するように拡張または縮小させる調整であることを特徴とする画像処理プログラム。
【発明の詳細な説明】
【技術分野】
【０００１】
本発明は、入力画像、または入力画像データの特性に基づいて画像データの階調変換処理を行う画像処理装置および画像処理プログラムに関する。
【背景技術】
【０００２】
複合機等に搭載されるスキャナーやプリンター等の入出力デバイスは、それぞれ固有の特性を有しており、入力デバイスにおける読み取り特性、及び、出力デバイスにおける印刷特性は、製品毎の特性や使用環境及び、経年劣化の度合い等によって異なる。
【０００３】
そのため、例えば、カメラやスキャナー等の複数の入力デバイスによって同じ原稿画像を読み込んでも、各入力デバイスが識別する色（階調値）は互いに異なる。同様にして、同じ原稿画像データを異なるプリンターから印刷した場合も、印刷された原稿画像を測色機によって測色すると、その色の値は互いに異なる。そこで、各入力デバイスの読み取り特性、出力デバイスの印刷特性を補正するために入出力プロファイルが用いられる。
【０００４】
スキャナー等の入力デバイスでは、原稿画像を読み込んで生成した原稿画像データに入力プロファイルを適用して、原稿画像データの各色の値（階調値）を、元の原稿画像に忠実な値（階調値）に変換している。入力プロファイルは、色空間上の複数の色からなるパッチ画像の各測色値と当該パッチ画像を入力デバイスが読み取って生成したパッチ画像データの各色の値との対応関係とは、例えば逆特性をもつ色変換特性を有する。入力デバイスは、原稿画像データに対してこの色変換特性による色変換を行うことで、元の原稿画像に忠実な色の階調値を得ることができる。
【０００５】
一方、プリンター等の出力デバイスでは、印刷対象の原稿画像データに出力プロファイルを適用して、原稿画像データの各色の値を、当該プリンターによって印刷される画像の各色が原稿画像データに忠実な色になるような値に変換している。出力プロファイルは、パッチ画像データにおける各色の値と当該パッチ画像データをプリンターが印刷した画像の各測色値との対応関係とは、例えば逆特性をもつ色変換特性を有する。出力デバイスは、原稿画像データに対してこの色変換特性による色変換を行うことで、元の原稿画像データに忠実な色の階調値の画像を印刷することができる。
【先行技術文献】
【特許文献】
【０００６】
【特許文献１】特開２００５―１９７８３１号公報
【特許文献２】特開２００４−３３６８０７号公報
【発明の概要】
【発明が解決しようとする課題】
【０００７】
しかしながら、入力プロファイルには下記の課題がある。
【０００８】
入力プロファイルは、入力デバイスがパッチ画像を読み込んで認識した各色の値をパッチ画像の測色値に変換するため、入力プロファイルの作成に用いたパッチ画像の色域に含まれない色については適切な色に変換することができない。即ち、原稿画像データにパッチ画像の色域に含まれない色が含まれている場合、入力デバイスは、入力プロファイルによって当該色域に含まれない色を元の原稿画像に忠実な色に変換することができない。
【０００９】
また、入力プロファイルの作成に用いたパッチ画像の紙と原稿画像の紙の種類が異なる場合も、入力デバイスは、入力プロファイルによって原稿画像データの各色を元の原稿画像に忠実な色に変換することができないことがある。
【００１０】
具体的には、次の通りである。同じ画像が異なる種類の紙に印刷されている場合、紙の種類毎に反射率の差異、及び入力デバイスと測色機で使用する光源の特性の差異に起因して、それぞれの原稿画像の測色値は同じような値であっても、当該原稿画像を入力デバイスが読み込んで認識する色の値は異なることがある。つまり、画像が印刷された紙の種類によって、画像上の各測色値と入力デバイスが当該画像を読み取って生成した画像データにおける各色との対応関係に基づく色変換特性が異なることがある。
【００１１】
そのため、入力プロファイルの作成に用いたパッチ画像と異なる紙に印刷された原稿画像を読み込んで、原稿画像データに入力プロファイルを適用しても、原稿画像データの各色を適切な色に変換することができない。
【００１２】
上記のとおり、入力プロファイルの作成に用いたパッチ画像の特性（色域特性、紙の特性等）と異なる特性の原稿画像を読み取る場合、原稿画像データに入力プロファイルを適用しても元の原稿画像に忠実な色を再現できず、画像が劣化してしまう。
【００１３】
一方、出力プロファイルは、原稿画像データの各色を、当該プリンターによって印刷された時に原稿画像データに忠実な色になるような値に変換する色変換特性を有するが、さらに次のような所定の調整が行われることがある。
【００１４】
一般的に、原稿画像を複写する場合、当該原稿画像を印刷したプリンターと当該原稿画像を複写しようとする複合機のプリンターとは異なることが多く、また、プリンター毎に印刷可能な色域は異なっている。例えば、原稿画像を印刷したプリンター１と、当該原稿画像を複写する複合機のプリンター２があるとする。そのようなプリンター１、２から、黒色を表すＲＧＢ値（0，0，0）の画像データを印刷した場合、プリンター１の印刷画像の測色値はＬ*ａ*ｂ*値１（13，5，7）、プリンター２の印刷画像の測色値はＬ*ａ*ｂ*値２（8，3，5）のように異なる。Ｌ*ａ*ｂ*の「Ｌ」は明度を表し、上記のＬ*ａ*ｂ*値１とＬ*ａ*ｂ*値２とでは、Ｌ*ａ*ｂ*値２の方がより暗い色を示す。
【００１５】
そして、ＲＧＢ値（0，0，0）の画像データに対応するプリンター１の印刷画像（Ｌ*ａ*ｂ*値１）をプリンター２で複写する場合、プリンター２は、複写画像として複写元の原稿画像（Ｌ*ａ*ｂ*値１）を印刷する。しかし、プリンター２は、ＲＧＢ値（0，0，0）の画像データに対応して、Ｌ*ａ*ｂ*値１より暗い色Ｌ*ａ*ｂ*値２を印刷可能であるため、プリンター２では色Ｌ*ａ*ｂ*値２の画像として印刷したいという要望がある。
【００１６】
そこで、プリンター１の印刷画像をプリンター２で複写する場合、ＲＧＢ値（0，0，0）の画像データに対応するプリンター１のＬ*ａ*ｂ*値１の画像を、プリンター２でＬ*ａ*ｂ*値２の画像として印刷するために、プリンター２において黒強調等を行うことがある。具体的には、プリンター２の出力プロファイルにおいて、Ｌ*ａ*ｂ*値１近辺の色をより暗いＬ*ａ*ｂ*値２の色に変換するような調整を行う。
【００１７】
しかしながら、このような黒強調等の調整の度合いはプリンター毎に異なるため、プリンター２に基づいて黒強調された出力プロファイルをプリンター２以外のプリンターの印刷画像に適用すると、黒強調の度合いが足りず、若しくは、黒強調の度合いが強すぎて黒近辺の色が全て最も濃い色に変換される等して、その印刷画像は元の画像から劣化してしまう。
【００１８】
この画像の劣化は、出力プロファイルに対して、上記のような黒強調を行う場合に限られず、濃度抑制等の調整を行う場合等にも該当する。
【００１９】
上述した画像の特性に適合していない入出力プロファイルを適用することによる画像の劣化は、１回の適用ではその度合いが小さいが、複写処理を繰り返すことにより徐々に大きくなってしまう。特許文献１、２では、複写処理を繰り返すことによって劣化した画像の印刷を回避するために、次のような技術が開示されている。
【００２０】
特許文献１では、元の原稿画像から何世代複写された原稿画像であるのかを示す世代番号を原稿画像に設けられたＩＣチップに付加し、複写時にＩＣチップから世代番号を読み取り、読み取った世代番号が所定の値に達している場合に複写を中止する等の技術が開示されている。
【００２１】
特許文献２では、原稿画像が作成された装置識別情報や世代情報等からなる付加情報を原稿画像埋め込み、当該原稿画像の読み取り時に付加情報を抽出して原稿画像の複製履歴を認識する等の技術が開示されている。
【００２２】
本発明では、画像データの特性に適した色変換を行う画像処理装置および画像処理プログラムを提供する。
【課題を解決するための手段】
【００２３】
上記の目的を達成するために、本発明の第１の側面によれば、印刷出力された原稿を読み取ることで得られる画像データに所定の色変換を行う画像処理装置であって、前記原稿の印刷出力における出力条件を示す原稿特性情報が付与された前記原稿から、原稿画像を読み取って前記原稿画像の画像データを生成する画像読み取り手段と、前記原稿画像を読み取った原稿の原稿特性情報を取得する原稿特性取得手段と、前記画像データに、前記取得した原稿特性情報が示す条件に対応した色変換を行う色変換手段と、を有する。
【００２４】
これにより、画像データの原稿特性に対応した色変換処理が可能となり、画像の劣化を防ぐことができる。
【００２５】
上記の第１の側面において好ましい態様によれば、さらに、前記色変換手段の色変換特性は、前記画像読み取り手段が基準画像を読み取る場合の基準画像と読み取った画像データとの読み取り特性に基づく第１の色変換特性を有し、前記色変換手段は、前記取得した原稿特性情報に対応する前記基準画像の前記第１の色変換特性に基づいて、前記画像データを色変換する。
【００２６】
この態様によれば、画像データの原稿特性に対応した色変換処理が可能となり、画像読み取り手段が生成した画像データを読み取り元の原稿に忠実な色に変換することができる。
【００２７】
上記の第１の側面において好ましい態様によれば、さらに、前記色変換された前記画像データを印刷する印刷手段を有し、前記色変換手段の色変換特性は、前記第１の色変換特性に加えて、前記印刷手段が基準画像データを印刷する場合の前記基準画像データと印刷画像との印刷特性に基づく第２の色変換特性を有し、前記色変換手段は、前記取得した原稿特性情報に対応する前記基準画像の前記第１の色変換特性と前記第２の色変換特性とに基づいて、前記画像データを色変換する。
【００２８】
この態様によれば、画像データの原稿特性に対応した色変換処理が可能となり、画像読み取り手段が生成した画像データを読み取り元の原稿に忠実な色に変換しながら、印刷手段によって印刷された時に当該画像データに忠実な画像になるように、画像データを色変換できる。
【００２９】
上記の第１の側面において好ましい態様によれば、前記第１の色変換特性と前記第２の色変換特性は、同一のまたは別々の変換テーブルに定義される。
【００３０】
この態様によれば、色変換手段は、画像データの原稿特性に対応する色変換特性が定義された入力プロファイル、または、ルックアップテーブルによって色変換することができる。
【００３１】
上記の第１の側面において好ましい態様によれば、前記色変換手段は、基準とする前記第１の色変換特性を前記取得した原稿特性情報に対応して補正し、当該補正した第１の色変換特性に基づいて前記画像データを色変換する。
【００３２】
この態様によれば、基準の色変換特性に対して取得した原稿特性に対応した補正を行い、当該補正した色変換特性に基づいて画像データを色変換することにより、使用メモリの容量を小さくできる。
【００３３】
上記の第１の側面において好ましい態様によれば、前記原稿特性情報は、前記原稿画像を印刷した印刷装置識別名、及び前記原稿画像が印刷された紙種別のいずれかまたは両方である。
【００３４】
この態様によれば、原稿特性情報は、原稿画像の印刷元プリンターの機種やプリンター識別情報、または、原稿画像が印刷された紙の種別のいずれかまたは両方である。
【００３５】
上記の第１の側面において好ましい態様によれば、さらに、前記色変換された前記画像データを印刷する印刷手段を有し、前記色変換手段の色変換特性は、前記印刷手段が基準画像データを印刷する場合の基準画像データと印刷した画像との印刷特性に基づく色変換特性に所定の調整を加えた第３の色変換特性を有し、前記色変換手段は、前記取得した原稿特性情報に対応する前記基準画像データの前記第３の色変換特性に基づいて、前記画像データを色変換する。
【００３６】
この態様によれば、原稿特性に対応する画像データに基づいて所定の調整を行った色変換特性によって色変換処理が可能となり、所定の調整が最適に行われた画像が印刷されるように画像データを色変換できる。
【００３７】
上記の第１の側面において好ましい態様によれば、前記所定の調整とは、前記原稿特性情報に対応する画像データの色域を、前記印刷手段の色域に適合するように拡張または縮小させる調整である。
【００３８】
この態様によれば、所定の調整とは、画像の色域を拡張する例えば黒強調、または、画像の色域を縮小する例えば濃度抑制である。
【００３９】
上記の第１の側面において好ましい態様によれば、さらに、前記色変換手段の色変換特性は、前記第３の色変換特性に加えて、前記画像読み取り手段が基準画像を読み取る場合の基準画像と読み取った画像データとの読み取り特性に基づく第１の色変換特性を有し、前記色変換手段は、前記第１の色変換特性と、前記取得した原稿特性情報に対応する前記基準画像データの前記第３の色変換特性とに基づいて、前記画像データを色変換する。
【００４０】
この態様によれば、画像読み取り手段が生成した画像データを読み取り元の原稿に忠実な色に変換しながら、さらに、原稿特性に対応する画像データに基づいて所定の調整を行った色変換特性によって色変換処理が可能となり、所定の調整が最適に行われた画像が印刷されるように画像データを色変換できる。
【００４１】
上記の第１の側面において好ましい態様によれば、前記第１の色変換特性と前記第３の色変換特性は、同一のまたは別々の変換テーブルに定義される。
【００４２】
この態様によれば、色変換手段は、画像データの原稿特性に対応する色変換特性が定義された出力プロファイル、または、ルックアップテーブルによって色変換することができる。
【００４３】
上記の第１の側面において好ましい態様によれば、前記色変換手段は、基準とする前記第３の色変換特性を前記取得した原稿特性情報に対応して補正し、当該補正した第３の色変換特性に基づいて前記画像データを色変換する。
【００４４】
この態様によれば、基準の色変換特性に対して取得した原稿特性に対応した補正を行い、当該補正した色変換特性に基づいて画像データを色変換することにより、使用メモリの容量を小さくできる。
【００４５】
上記の第１の側面において好ましい態様によれば、前記原稿特性情報は、前記原稿画像を印刷した印刷装置識別名である。
【００４６】
この態様によれば、原稿特性情報は、原稿画像の印刷元プリンターの機種やプリンター識別情報等である。
【００４７】
上記の目的を達成するために、本発明の第２の側面によれば、印刷出力された原稿を読み取ることで得られる画像データに所定の色変換を行う処理をコンピューターに実行させるコンピューター読み取り可能な画像処理プログラムにおいて、前記画像データは、画像読み取り手段によって、前記原稿の印刷出力における出力条件を示す原稿特性情報が付与された前記原稿から原稿画像が読み取られて生成された画像データであって、前記色変換処理は、前記原稿画像が読み取られた原稿の原稿特性情報を取得する原稿特性取得工程と、前記画像データに、前記取得した原稿特性情報が示す条件に対応した色変換を行う色変換工程と、を有する。
【図面の簡単な説明】
【００４８】
【図１】第１の実施の形態例の構成図である。
【図２】色変換処理を表す図である。
【図３】プリンター毎の画像の色域とその読み取り値を表す図である。
【図４】原稿画像データに原稿特性に対応しない入力プロファイルを適用する例図である。
【図５】色変換特性が定義されていない色の第1の色変換方法を表す図である。
【図６】色変換特性が定義されていない色の第２の色変換方法を表す図である。
【図７】原稿画像データに原稿特性に対応する入力プロファイルを適用する例図である。
【図８】印刷紙毎の画像の色域とその読み取り値を表す図である。
【図９】原稿画像データに原稿特性に対応しない入力プロファイルを適用する例図である。
【図１０】原稿画像データに原稿特性に対応する入力プロファイルを適用する例図である。
【図１１】第１の実施の形態例のフローチャート図である。
【図１２】色変換テーブルの形態を表す図である。
【図１３】各プリンターの印刷画像の色域を表す図である。
【図１４】原稿画像データに黒強調の色変換処理を行う例図である。
【図１５】原稿画像データに原稿特性に対応した黒強調の色変換処理を行う例図である。
【図１６】各プリンターの黒強調の出力プロファイルを表す例図である。
【図１７】スキャナー手段の読み取り特性と入力プロファイルを表す例図である。
【発明を実施するための形態】
【００４９】
以下、図面にしたがって本発明の実施の形態について説明する。ただし、本発明の技術的範囲はこれらの実施の形態に限定されず、特許請求の範囲に記載された事項とその均等物まで及ぶものである。
【００５０】
［第１の実施の形態例］
第１の実施の形態例に係る画像処理装置では、読み取り対象の原稿画像を読み取って原稿画像データを生成すると共に、当該原稿画像データの原稿特性情報を取得し、当該原稿特性に対応したパッチ画像に基づいて生成された色変換特性により原稿画像データを色変換することによって、原稿画像データの各色を元の原稿画像に忠実な色の値に変換するものである。
【００５１】
図１は、第１の実施の形態例にかかる複合機Ｘ１０の機能を表す図である。複合機Ｘ１０は、入力デバイスであるスキャナー手段１１、入出力デバイスによって付加された固有の特性を補正する色変換を行う色変換手段１２、出力デバイスである印刷手段１３、とを有する。
【００５２】
複合機Ｘ１０は、次のような流れで原稿画像２１を複写する。まず、スキャナー手段１１が原稿画像２１を読み取って原稿画像データを生成し、色変換手段１２に出力する。色変換手段１２は、スキャナー手段１１から入力された原稿画像データに対して所定の色変換処理を行い、印刷手段１３に出力し、印刷手段１３は、色変換手段１２から入力された原稿画像データに所定の画像処理を行って印刷する。各手段について以下に具体的に述べる。
【００５３】
スキャナー手段１１は、原稿台、ＣＣＤなどのイメージセンサ等（図示せず）を備え、原稿台に置かれた原稿画像２１を光学的に読み取りＲＧＢ値の各色の階調データで表される原稿画像データを生成する。また、スキャナー手段１１は、当該手段に固有の読み取り特性、すなわち原稿画像２１とこれをスキャナー手段１１で読み取った原稿画像データとの色の対応関係で表される特性を有している。なお、本実施の形態例の画像処理装置では、入力デバイスとしてスキャナー手段を挙げているが、入力デバイスはデジタルカメラ等であってもよい。
【００５４】
印刷手段１３は、画像処理手段３１と印刷エンジン３２とを備える。画像処理手段３１は、色変換手段１２から入力されたＲＧＢ値の原稿画像データをＣＭＹＫ値へ変換し、ハーフトーン処理等を行う。そして、印刷エンジン３２は、ハーフトーン処理等が行われた原稿画像データに基づいて紙媒体等に印刷を行う。印刷手段１３もスキャナー手段１１と同様に、当該手段に固有の印刷特性、すなわち原稿画像データとこれを印刷手段１３で印刷した印刷画像２２との色の対応関係で表される特性を有している。
【００５５】
色変換手段１２は、入力デバイスの読み取り特性及び出力デバイスの印刷特性の、例えば逆特性の色変換特性に基づいて原稿画像データの色変換処理を行う。入力デバイスに対応する色変換特性は入力プロファイル（スキャナープロファイル）２２に、出力デバイスに対応する色変換特性は出力プロファイル（プリンタープロファイル）２３に定義される。
【００５６】
図２は、色変換処理を表す図である。色変換手段１２は、原稿画像データＲＧＢ１にスキャナープロファイル２２を適用することによって、スキャナー手段１１の読み取り特性に基づいて読み取られた原稿画像データの各色（ＲＧＢ値）を元の原稿画像に忠実な各色（Ｌ*ａ*ｂ*値）に変換する。本実施の形態例の画像処理装置は、原稿画像２１の原稿特性に対応したスキャナープロファイル２２に基づいて色変換することに特徴がある。その処理の流れ、及び原稿特性については後述する。
【００５７】
そして、色変換手段１２は、スキャナープロファイル２２に定義された色変換特性に基づいて変換された原稿画像データＬ*ａ*ｂ*にプリンタープロファイル２３を適用して、原稿画像データＲＧＢ２に変換する。これにより、印刷対象の原稿画像データの各色（Ｌ*ａ*ｂ*値）は、印刷手段１３の印刷特性に従って印刷された場合に原稿画像データに忠実な色になるような各色（ＲＧＢ値）に変換される。
【００５８】
なお、図２の色変換手段１２は、原稿画像データを、ＲＧＢ値とデバイス非依存の色空間のＬ*ａ*ｂ*値を相互に変換しているが、Ｌ*ａ*ｂ*ではなく、Ｌ*ｕ*ｖ*、ＸＹＺ等の色空間値に相互変換してもよい。Ｌ*ａ*ｂ*はデバイス非依存の色空間であり、Ｌ*値は明度、ａ*ｂ*値は色相、彩度を表す。ａ*ｂ*値がともに０の場合には無彩色であり、ａ*がプラス値で大きい値であるほど赤が強く、マイナス値で小さい値であるほど緑が強い。また、ｂ*がプラス値で大きい値であるほど黄が強く、マイナス値で小さい値であるほど青が強い。
【００５９】
また、図２の色変換手段１２は、原稿画像データＲＧＢ１に対して、スキャナープロファイル２２とプリンタープロファイル２３とをそれぞれ適用しているが、予めスキャナープロファイル２２とプリンタープロファイル２３とを合成したルックアップテーブル２１を用意しておき、原稿画像データＲＧＢ１に当該ルックアップテーブル２１を適用することによって原稿画像データＲＧＢ２に色変換してもよい。
【００６０】
さらに、図２の色変換手段１２では、スキャナープロファイル２２、プリンタープロファイル２３、ルックアップテーブル２１等の変換テーブルに基づいて色変換を行っているが、変換テーブルではなく、色変換特性に基づいて設定された演算処理等によって色変換処理を行ってもよい。
【００６１】
複合機Ｘ１０は、ハードウェアとして、図示しないが、ＣＰＵ、ＲＡＭ、ＲＯＭ等のメモリ、操作パネル、入出力インタフェース等を備える。ＲＯＭには、複合機Ｘ１０全体を制御する制御プログラム等の基本のプログラム、及び、入出力プロファイル等の変換テーブルが格納されている。色変換手段１２は、ＲＯＭに格納されるプログラムと、その処理を実行するＣＰＵ等で構成される。
【００６２】
複合機Ｘ１０は、上記のような機能およびハードウェア構成を有することによって、入力した原稿画像２１の各色を忠実に再現した印刷画像２２を複写画像として印刷する。
【００６３】
次に原稿特性について説明する。本実施の形態例における原稿特性とは、当該画像を印刷したプリンターの装置識別名、及び、当該画像が印刷された紙の種別等の印刷時における条件を示す。具体的に、プリンターの装置識別名とは、例えば「プリンターＡ」、「プリンターＢ」等のプリンターの名称、または「Ｚ１１０」等のプリンター機種名等であり、紙の種別とは、例えば「光沢紙」や「再生紙」等の種別である。原稿特性情報は、例えば、ＣＭＹＫのうちいずれかの色のプレーンについて原稿特性情報を示す所定のパターンを原稿画像に付加して印刷する手法や地紋印刷の手法等の電子透かしの技術によって原稿画像データに埋め込まれていてもよいし、ＩＣタグ等によって原稿用紙に付加されてもよい。
【００６４】
本実施の形態例では、原稿特性が原稿画像を印刷したプリンターの装置識別名である例と、原稿特性が原稿画像が印刷された紙の種別である例について説明する。以下に、まず、原稿特性が当該原稿画像を印刷したプリンターの装置識別名であって、原稿画像データと同じ原稿特性を有するパッチ画像（基準画像）に基づいて作成されるスキャナープロファイル２２を用いて原稿画像データの色変換処理を行う例について説明する。
【００６５】
図３は、各プリンターのパッチ画像の色域特性（ａ）と、スキャナー手段１１によるパッチ画像の各色の読み取り値（ｂ）を示す図である。図３（ａ）はプリンターＡ、Ｂが印刷したパッチ画像（以下、パッチ画像Ａ、Ｂ）の色域３１、３２を表す図であり、図３（ｂ）はパッチ画像Ａ、Ｂを複合機Ｘ１０のスキャナー手段１１により読み取ったＲＧＢ値の分布３３、３４を表す図である。
【００６６】
図３（ａ）で表されている通り、パッチ画像Ａ、Ｂの色域３１、３２はそれぞれ異なる。プリンターによって印刷した画像の色域が異なる理由は、プリンター毎に使用する色材やその印刷エンジンの性能、経年劣化の度合い、使用環境等が異なることに因る。
【００６７】
例えば、プリンターの印刷エンジンが高性能である場合、当該プリンターでは多様な色が印刷可能となり印刷画像の色域は広くなる。一方、印刷エンジンの性能が低い場合、当該プリンターでは多様な色を印刷できず印刷画像の色域は狭くなる傾向がある。また、例えば、経年劣化によってプリンターの印刷エンジンが高濃度領域の色を印刷できなくなった場合、劣化以前の印刷エンジンによる印刷画像の色域と比べて、高濃度領域の色域は狭くなる。
【００６８】
図３（ａ）において、パッチ画像Ｂの色域３２は、パッチ画像Ａの色域３１に、一部、包括されない部分を有している。Ｆ２:Ｌ*ａ*ｂ*（15，10，8）はその部分に含まれる色であって、パッチ画像Ｂのみが有する色である。一方、Ｆ１:Ｌ*ａ*ｂ*（20，5，10）は、パッチ画像Ａ、Ｂ共に有する色である。また、図３の右向きの直線矢印Ｃ１０は、画像上のある色の測色値（左側）と、スキャナー手段１１による当該色の読み取り値（右側）との対応関係を表している。従って、色Ｆ１、Ｆ２のスキャナー手段１１の読み取り値は、それぞれＦ１´:ＲＧＢ（22，14，19）、Ｆ２´:ＲＧＢ（20，15，18）である。色Ｆ２と同様にして、Ｆ２´はパッチ画像Ｂのスキャナー読み取り値にのみ存在する色である。
【００６９】
上記のようなパッチ画像Ａに基づいて生成したスキャナープロファイル（以下、スキャナープロファイルＡ）は、パッチ画像Ａの色Ｆ１（Ｌ*ａ*ｂ*値）のスキャナー手段１１による読み取り値Ｆ１´（ＲＧＢ値）を元の色Ｆ１に変換する色変換特性を有する。即ち、図中のＦ１からＦ１´の矢印Ｃ１１とは逆の色変換特性である。
【００７０】
図４は、プリンターＡ、Ｂによって印刷された各原稿画像（以下、原稿画像Ａ４１、Ｂ４２）を複合機Ｘ１０のスキャナー手段１１によって読み取り、生成した原稿画像データ（以下、原稿画像データＡ、Ｂ）にスキャナープロファイルＡ４３を適用する場合の色の変移を表す図である。前提として、原稿画像Ａ４１は色Ｆ１を、原稿画像Ｂ４２は色Ｆ２を有する。
【００７１】
まず、原稿画像データＡ（Ｆ１´）と原稿特性が同じ、即ち原稿画像データＡ（Ｆ１´）を印刷したプリンターＡによるパッチ画像に基づいて生成されたスキャナープロファイルＡ４３を、プリンターＡに対応する原稿画像データＡ（Ｆ１´）に適用する場合について説明する。
【００７２】
複合機Ｘ１０のスキャナー手段１１は、色Ｆ１:Ｌ*ａ*ｂ*（20，5，10）を有する原稿画像Ａ４１を読み取って、色Ｆ１´の原稿画像データＡを生成する。そして、色変換手段１２は、当該原稿画像データＡ（Ｆ１´）に対してスキャナープロファイルＡ４３を適用する。スキャナープロファイルＡ４３は、前述したとおり、色Ｆ１´をＦ１に変換する色変換特性を有するため、色変換手段１２によって原稿画像データＡの色Ｆ１´はＦ１に変換される。従って、原稿画像データＡの色Ｆ１´は、読み取り元の原稿画像Ａ４１の色Ｆ１と同じ色:Ｌ*ａ*ｂ*（20，5，10）となる。
【００７３】
次に、原稿画像データＢ（Ｆ２´）と原稿特性が異なる、即ち原稿画像データＢ（Ｆ２´）を印刷したプリンターＢとは異なるプリンターＡによるパッチ画像に基づいて生成されたスキャナープロファイルＡ４３を、プリンターＢに対応する原稿画像データＢ（Ｆ２´）に適用する場合について説明する。
【００７４】
複合機Ｘ１０のスキャナー手段１１は、色Ｆ２を有する原稿画像Ｂ４２を読み取って色Ｆ２´の原稿画像データＢ（Ｆ２´）を生成する。そして、色変換手段１２は、原稿画像データＢ（Ｆ２´）に対してスキャナープロファイルＡ４３を適用するが、スキャナープロファイルＡ４３には、色Ｆ２´の色変換特性が定義されていない。そこで、色変換手段１２は、スキャナープロファイルＡ４３に色変換特性が定義されていないＦ２´のような色について、次のように色変換を行う。以下に、２つの色変換方法を例示する。
【００７５】
図５は、色変換特性が定義されていない色の第１の色変換方法を表す図である。図５（ａ）はパッチ画像Ａ、Ｂの色域３１、３２を表す図であり、図５（ｂ）はパッチ画像Ａ、Ｂを複合機Ｘ１０のスキャナー手段１１により読み取ったＲＧＢ値の分布３３、３４を表す図である。また、右向きの直線矢印Ｃ１１は、画像上のある色の測色値（左側）とスキャナー手段１１による当該色の読み取り値（右側）との対応関係を表し、左向きの実線の曲線矢印Ａ４３は、スキャナー手段１１による読み取り値（右側）とスキャナープロファイルＡによる当該読み取り値の変換値（左側）との対応関係を表す。
【００７６】
図５（ｂ）の色Ｆ２´は、スキャナープロファイルＡ４３に色変換特性が定義されていない。そこで、まず、第１の方法では、色変換特性が定義されていない色Ｆ２´を、パッチ画像Ａの読み取り値の分布に含まれる最も近い色Ｆ１´の色変換特性Ａ４３（Ｆ１´）に基づいて色変換する。従って、色変換手段１２は、色Ｆ２´をＦ１´の色変換特性Ｆ４３（Ｆ１´）に基づいてＦ１に変換する。
【００７７】
図６は、色変換特性が定義されていない色の第２の色変換方法を表す図である。図の内容と、矢印の意味は、図５と同様である。第２の方法では、色変換特性が定義されていない色であって、図６（ｂ）における色Ｆ５´のようなパッチ画像Ａの読み取り値分布の外郭から最も離れた色を、パッチ画像Ａの読み取り値分布の外郭の色Ｆ１´になるように色域圧縮し、当該色域圧縮した色Ｆ１´の色変換特性Ａ４３（Ｆ１´）に基づいて変換する。具体的には、色Ｆ５´をＦ１´の色変換特性Ａ４３（Ｆ１´）に基づいて、色Ｆ２´をＦ３´の色変換特性Ａ４３（Ｆ３´）に基づいて色変換する。これにより、色Ｆ５´はＦ１に、色Ｆ２´はＦ３に変換される。
【００７８】
上記の色変換方法は、次のような問題がある。第１の方法では、パッチ画像Ａの読み取り値領域外の色が、当該色に最も近いパッチ画像Ａの読み取り値領域の外郭の色の色変換特性によって色変換される。そのため、パッチ画像Ａの読み取り値領域外の異なる色が同じ色に変換されることがあり、当該領域外の異なる色の階調性が失われてしまう。
【００７９】
それに対して、第２の方法では、パッチ画像Ａの読み取り値領域外の最も外側の色を、パッチ画像Ａの読み取り値領域の外郭の色に色圧縮し該当する色の色変換特性に基づいて色変換するため、当該領域外の異なる色が同じ色に変換されることはなく、当該領域外の各色の階調性は保たれる。しかしながら、第２の方法では、当該領域内の色についても色圧縮し該当する色の色変換特性に基づいて色変換するため、当該領域内の色でも変換前と変換後とで色が異なってしまうことがある。図４の色変換手段１２は、第１の方法によって色変換するものとする。なお、本実施の形態例における画像処理装置は、上記の問題を解決するものである。
【００８０】
図４に戻り、色変換手段１２は、第１の方法によって、原稿画像データＢの色Ｆ２´をＦ１´の色変換特性Ａ４３（Ｆ１´）に基づいてＦ１に変換する。この結果、原稿画像データＢの色Ｆ２´は、色変換手段１２によって、読み取り元の原稿画像Ｂ４２の色Ｆ２とは異なる色Ｆ１に変換されてしまう。このように、原稿画像データに対して、当該原稿画像データと印刷元のプリンターが異なるパッチ画像に基づくスキャナープロファイルを適用すると、原稿画像データは元の画像に忠実な色に変換されない。
【００８１】
そこで、本実施の形態例の色変換手段１２は、原稿画像データの原稿特性を取得し、原稿画像データと原稿特性が同じパッチ画像に基づいて生成されたスキャナープロファイルによって原稿画像データの色変換を行う。即ち、色変換手段１２は、原稿画像データＢ（Ｆ２´）がプリンターＢによって印刷されたことを表す原稿特性情報を取得し、プリンターＢによるパッチ画像に基づいて生成されたスキャナープロファイル（以下、スキャナープロファイルＢ４４）を適用して原稿画像データＢ（Ｆ２´）の色変換処理を行う。
【００８２】
本実施の形態例では、原稿画像データに電子透かしによって原稿特性情報が埋め込まれているものとする。色変換手段１２は、原稿画像データＢ（Ｆ２´）の特定色のプレーンに埋め込まれた原稿特性情報「印刷装置：プリンターＢ」を取得し、原稿画像データＢ（Ｆ２´）にスキャナープロファイルＢ４４を適用して色変換処理を行う。
【００８３】
図７は、原稿画像データＢ（Ｆ２´）にスキャナープロファイルＢ４４を適用する場合の色の変移を表す図である。図３によると、パッチ画像Ｂの色Ｆ２のスキャナー手段１１による読み取り値がＦ２´であることから、スキャナープロファイルＢ４４は、色Ｆ２´をＦ２に変換する色変換特性を有する。具体的には、図５中に示した破線の色変換特性Ｂ４４（Ｆ２´）である。従って、色Ｆ２´を有する原稿画像データＢに対してスキャナープロファイルＢ４４が適用されると、原稿画像データＢのＦ２´はＦ２に変換される。この結果、原稿画像データＢの色Ｆ２は、読み取り元の原稿画像Ｂ４２のＦ２と同じ色Ｌ*ａ*ｂ*（15，10，8）となる。
【００８４】
そして、色変換手段１２は、原稿画像データＡ（Ｆ１´）については、原稿画像データＡ（Ｆ１´）から原稿特性情報「印刷装置：プリンターＡ」を取得し、プリンターＡによるパッチ画像に基づいて生成されたスキャナープロファイルＡ４３を適用して、元の画像データＦ１に忠実な原稿画像データに色変換する。
【００８５】
図１７は、スキャナープロファイルの色変換特性（ａ）と、スキャナー手段１１の読み取り特性（ｂ）を表す図である。スキャナープロファイルの色変換特性（ａ）の縦軸はスキャナープロファイルへの入力値（ＲＧＢ）を、横軸は入力値に対する出力値（Ｌ*ａ*ｂ*）の明度（Ｌ）を表す。色データ（Ｌ*ａ*ｂ*、ＲＧＢ）は共に３次元座標値であるが、図１７では簡易的にＬの横軸とＲＧＢを１次元で表した縦軸とで示している。図１７（ａ）において、実線で表されている特性がスキャナープロファイルＡ４３であり、破線で表されている特性がスキャナープロファイルＢ４４である。
【００８６】
また、図１７のスキャナー手段１１の読み取り特性（ｂ）の横軸は読み取り対象の画像の測色値（Ｌ*ａ*ｂ*）の明度（Ｌ）を、縦軸はスキャナー手段１１による画像の読み取り値（ＲＧＢ）を表す。同図のスキャナー手段１１の読み取り特性１７１に基づくと、色Ｆ１、Ｆ２の読み取り値は、それぞれＦ１´、Ｆ２´であることがわかる。
【００８７】
前述したとおり、図１７（ａ）の実線のスキャナープロファイルＡ４３の色変換特性に基づくと、色Ｆ１´は色Ｆ１に変換されるが、色Ｆ２´についてはスキャナープロファイルＡ４３に色変換特性が定義されていないため、色Ｆ２´に最も近い色Ｆ１´の色変換特性Ａ４３（Ｆ１´）に基づいてＦ１に変換される。一方、破線のスキャナープロファイルＢ４４には、色Ｆ２´の色変換特性Ｂ４４（Ｆ２´）が定義されているため、スキャナープロファイルＢ４４の色変換特性Ｂ４４（Ｆ２´）に基づいて、色Ｆ２´はＦ２に変換される。
【００８８】
従って、色変換手段１２は、原稿画像データＢ（Ｆ２´）を、その原稿特性（プリンターＢ）に対応するパッチ画像Ｂに基づいたスキャナープロファイルＢ４４によって色変換することにより、原稿画像データを元の原稿画像Ｂ４２に忠実な色の値に変換することができる。
【００８９】
このように、本実施の形態例の画像処理装置は、読み取り対象の原稿画像を読み取って原稿画像データを生成すると共に、当該原稿画像データの原稿特性情報（印刷元のプリンターの装置識別名）を取得し、当該装置識別名のプリンターで形成したパッチ画像に基づいて生成される色変換特性を定義したスキャナープロファイルによって原稿画像データを色変換することによって、原稿画像データの各色を元の原稿画像に忠実な色の値に変換することができる。
【００９０】
次に、原稿特性が当該原稿画像に印刷された紙の種別であって、原稿画像と同じ原稿特性を有するパッチ画像に基づいて生成されるスキャナープロファイル２２を用いて原稿画像データの色変換処理を行う例について説明する。
【００９１】
図８は、紙種別毎のパッチ画像の色域特性（ａ）と、スキャナー手段１１によるパッチ画像の各色の読み取り値（ｂ）を示す図である。図８（ａ）は再生紙、光沢紙に印刷されたパッチ画像（以下、パッチ画像/再生紙、パッチ画像/光沢紙）の色域８１、８２を表す図であり、図８（ｂ）はパッチ画像/再生紙、パッチ画像/光沢紙を複合機Ｘ１０のスキャナー手段１１により読み取ったＲＧＢ値の分布８３、８４を表す図である。
【００９２】
図８の右向きの直線矢印Ｃ１２は、パッチ画像/再生紙上のある色の測色値（左側：Ｆ１１、Ｆ１２）と、スキャナー手段１１による当該色の読み取り値（右側：Ｆ１１´、Ｆ１２´）との対応関係を示しており、右向きの破線の直線矢印Ｃ１３は、パッチ画像/光沢紙上のある色の測色値（左側：Ｆ１３）と、スキャナー手段１１による当該色の読み取り値（右側：Ｆ１３´）との対応関係を表している。
【００９３】
従って、パッチ画像/再生紙上の色Ｆ１１:Ｌ*ａ*ｂ*（28，8，6）、Ｆ１２:Ｌ*ａ*ｂ*（20，5，8）の各色は、スキャナー手段１１によってそれぞれ色Ｆ１１´:ＲＧＢ（20，15，18）、Ｆ１２´:ＲＧＢ（15，8，10）として読み取られる。一方、パッチ画像/光沢紙上の色Ｆ１３:Ｌ*ａ*ｂ*（20，8，10）はスキャナー手段１１によって、色Ｆ１３´:ＲＧＢ（21，13，17）として読み取られる。
【００９４】
図８（ａ）におけるＦ１２とＦ１３とは色差の少ない色味の近い色である。しかし、Ｆ１２が再生紙に、Ｆ１３が光沢紙に印刷されている場合、スキャナー手段１１による各色の読み取り値Ｆ１２´、Ｆ１３´の色差は図８（ｂ）のように大きくなってしまう。また、色Ｆ１３´は寧ろＦ１１´と色味が近い。このような現象は、前述したとおり、紙の反射率の違いや、スキャナー手段１１と測色機との使用する光源の特性の違いによって発生する。
【００９５】
上記のようなパッチ画像/再生紙に基づいて生成されたスキャナープロファイル（以下、スキャナープロファイル/再生紙）９３は、パッチ画像/再生紙の色（Ｆ１１、Ｆ１２）のスキャナー手段１１による読み取り値（Ｆ１１´、Ｆ１２´）を元の色（Ｆ１１、Ｆ１２）に変換する色変換特性Ａ９３を有する。図８における左向きの曲線矢印Ａ９３は、スキャナー手段１１による読み取り値（右側：Ｆ１１´、Ｆ１２´、Ｆ１３´）と、当該読み取り値のスキャナープロファイル/再生紙９３による変換値（左側：Ｆ１１、Ｆ１２、Ｆ１４）との対応関係を表している。一方、パッチ画像/光沢紙に基づくスキャナープロファイル/光沢紙９４は、Ｆ１３´を元の色Ｆ１３に変換する色変換特性を有する。
【００９６】
まず、原稿画像データ/再生紙（Ｆ１１´、Ｆ１２´）と原稿特性が同じ、即ち再生紙に印刷されたパッチ画像に基づいて生成されたスキャナープロファイル/再生紙９３を、原稿画像データ/再生紙（Ｆ１１´、Ｆ１２´）に適用する場合について説明する。
【００９７】
図９は、原稿画像/再生紙９１、原稿画像/光沢紙９２を複合機Ｘ１０のスキャナー手段１１によって読み取り、スキャナープロファイル/再生紙９３を適用する場合の色の変移を表す図である。前提として、原稿画像/再生紙９１は色Ｆ１１:Ｌ*ａ*ｂ*（28，8，6）、Ｆ１２:Ｌ*ａ*ｂ*（20，5，8）を有し、原稿画像/光沢紙９２は色Ｆ１３:Ｌ*ａ*ｂ*（20，8，10）を有する。
【００９８】
複合機Ｘ１０のスキャナー手段１１は、原稿画像/再生紙９１を読み取って、色Ｆ１１´、Ｆ１２´の原稿画像データ/再生紙を生成する。そして、色変換手段１２が原稿画像データ/再生紙（Ｆ１１´、Ｆ１２´）に対してスキャナープロファイル/再生紙９３を適用すると、スキャナープロファイル/再生紙９３はＦ１１´をＦ１１に、Ｆ１２´をＦ１２に変換する色変換特性Ａ９３（Ｆ１１´、Ｆ１２´）を有しているため、原稿画像データ/再生紙の色Ｆ１１´はＦ１１に、色Ｆ１２´はＦ１２に変換される。従って、原稿画像データ/再生紙の色Ｆ１１´、１２´は、読み取り元の原稿画像/再生紙９１の色Ｆ１１、１２と同じ色Ｌ*ａ*ｂ*（28，8，6）、Ｌ*ａ*ｂ*（20，5，8）となる。
【００９９】
次に、原稿画像データ/光沢紙（Ｆ１３´）と原稿特性が異なる、即ち光沢紙ではなく再生紙に印刷されたパッチ画像に基づいて生成されたスキャナープロファイル/再生紙９３を、原稿画像データ/光沢紙（Ｆ１３´）に適用する場合について説明する。
【０１００】
複合機Ｘ１０のスキャナー手段１１は、原稿画像/光沢紙９２を読み取り、色Ｆ１３´の原稿画像データ/光沢紙（Ｆ１３´）を生成する。そして、色変換手段１２は、原稿画像データ/光沢紙（Ｆ１３´）に対してスキャナープロファイル/再生紙９３を適用する。しかし、色Ｆ１３´はＦ１１´に色味が近い色であるため、色Ｆ１３´はスキャナープロファイル/再生紙９３の色変換特性Ａ９３（Ｆ１３´）に基づいて、色Ｆ１１に近い色Ｆ１４に変換されてしまう。従って、原稿画像データ/光沢紙の色Ｆ１３´は、読み取り元の原稿画像/光沢紙９２の色Ｆ１３とは異なる色Ｆ１４に変換されてしまう。このように、原稿画像データに、原稿画像データと印刷された紙種別が異なるパッチ画像に基づいて生成されたスキャナープロファイルを適用すると、原稿画像データは元の原稿画像に忠実な色に変換されない。
【０１０１】
そこで、本実施の形態例の色変換手段１２は、原稿画像データの原稿特性を取得し、原稿画像データと原稿特性が同じパッチ画像に基づいて生成されるスキャナープロファイルによって色変換を行う。即ち、色変換手段１２は、原稿画像データ/光沢紙（Ｆ１３´）が光沢紙に印刷されたことを表す原稿特性情報「印刷紙：光沢紙」を取得し、光沢紙に印刷されたパッチ画像/光沢紙に基づいて生成されたスキャナープロファイル/光沢紙９４を適用して原稿画像データ/光沢紙（Ｆ１３´）の色変換処理を行う。
【０１０２】
図１０は、原稿画像データ/光沢紙（Ｆ１３´）にスキャナープロファイル/光沢紙９４を適用する場合の色の変移を表す図である。複合機Ｘ１０のスキャナー手段１１は、色Ｆ１３:Ｌ*ａ*ｂ*（20，8，10）を有する原稿画像/光沢紙９２を読み取って、色Ｆ１３´の原稿画像データ/光沢紙を生成する。スキャナープロファイル光沢紙９４は、色Ｆ１３´をＦ１３に変換する色変換特性を有するため、原稿画像データ/光沢紙（Ｆ１３´）に対してスキャナープロファイル/光沢紙９４が適用されると、原稿画像データ/光沢紙の色Ｆ１３´はＦ１３に変換される。従って、原稿画像データ/光沢紙の色Ｆ１３´は、読み取り元の原稿画像/光沢紙９２の色Ｆ１３と同じ色Ｌ*ａ*ｂ*（20，8，10）となる。
【０１０３】
一方、原稿画像データ/再生紙（Ｆ１１´、Ｆ１２´）は、スキャナープロファイル/再生紙９３が適用されると、読み取り元の原稿画像/再生紙９１の色Ｆ１１、Ｆ１２と同じ色に変換される。
【０１０４】
従って、色変換手段１２は、原稿画像データ/再生紙（Ｆ１１´、Ｆ１２´）については、その原稿特性（再生紙）に対応するパッチ画像/再生紙に基づいたスキャナープロファイル/再生紙９３によって色変換し、原稿画像データ/光沢紙（Ｆ１３´）については、その原稿特性（光沢紙）に対応するパッチ画像/光沢紙に基づいたスキャナープロファイル/光沢紙９４によって色変換することにより、それぞれの原稿画像データを元の原稿画像に忠実な色の値に変換することができる。
【０１０５】
このように、本実施の形態例の画像処理装置は、読み取り対象の原稿画像を読み取って原稿画像データを生成すると共に、当該原稿画像データの原稿特性情報（原稿画像が印刷された紙の種別）を取得し、同種別の紙に印刷されたパッチ画像に基づいて生成される色変換特性を定義したスキャナープロファイルによって原稿画像データを色変換することによって、原稿画像データの各色を元の原稿画像に忠実な色の値に変換することができる。
【０１０６】
また、本実施の形態例の画像処理装置は、変換対象の全ての色についてその色変換特性を有する。そのため、色変換手段１２は、図５、６のように、変換対象の色と色味が近い、もしくは、変換対象の色を色域圧縮した色の色変換特性に基づいて色変換処理を行う必要がない。従って、本実施の形態例の画像処理装置は、色変換処理によって色の階調性が失われることや、色変換処理の前と後とで色が異なってしまうことによる画像の劣化を防ぐことができる。
【０１０７】
図１１は、原稿画像の原稿特性に対応した色変換特性によって色変換処理を行う処理のフローチャート図である。まず、複合機Ｘ１０のスキャナー手段１１は、原稿画像２１を読み取り、原稿画像データを生成する（Ｓ１０）。続いて、色変換手段１２は、電子透かし技術等によって原稿画像データに付加された原稿特性情報を取得する（Ｓ１１）。
【０１０８】
原稿画像データに原稿特性情報が付加されている場合（Ｓ１２のＹＥＳ）、色変換手段１２は、取得した原稿特性に対応した色変換特性に基づいて、原稿画像データの色変換を行う。具体的には、色変換手段１２は、原稿特性に対応するパッチ画像に基づいて生成される色変換特性を定義したルックアップテーブル２１に基づいて、原稿画像データの色変換処理を行う（Ｓ１３）。一方、原稿画像データに原稿特性情報が付加されていない場合（Ｓ１２のＮＯ）、色変換手段１２は、デフォルトの色変換特性を定義したルックアップテーブル２１に基づいて、原稿画像データの色変換処理を行う（Ｓ１４）。
【０１０９】
続いて、複合機Ｘ１０は原稿画像データに、印刷される画像が複合機Ｘ１０によって印刷されたことを示す原稿特性情報を、電子透かし等の技術によって原稿画像データに付加する（Ｓ１５）。そして、印刷手段１３は、原稿特性が付加された原稿画像データを印刷する（Ｓ１６）。印刷画像には複合機Ｘ１０の印刷手段１３で印刷されたことを表す原稿特性が付加されているため、次回、当該印刷画像を読み取って色変換する場合、色変換手段１２は、複合機Ｘ１０の印刷手段１３で印刷されたパッチ画像に基づいて生成された色変換特性によって原稿画像データを色変換することができる。
【０１１０】
また、上記のように、本実施の形態例の画像処理装置は、原稿特性情報が付加された原稿画像データについては原稿特性に特化した色変換処理を行い、原稿特性情報が付加されていない原稿画像データについては通常の色変換処理を行う。これにより、原稿特性情報が付加されていない原稿画像データについてはそれに特化した色変換処理が行われず、画像の劣化を抑えることができる。
【０１１１】
図１２は、色変換手段１２の変換テーブルの形態を表す図である。本実施の形態例の色変換手段１２は、図１２（ａ）のように、各原稿特性に対応した複数の色変換特性のスキャナープロファイル２２を用意しておき、原稿画像データに、その原稿特性に対応したスキャナープロファイル２２とプリンタープロファイル２３とをそれぞれ適用して色変換してもよい。また、色変換手段１２は、図１２（ｂ）のように、プリンタープロファイルと原稿特性に対応したスキャナープロファイルとに基づいた複数のルックアップテーブル２１を原稿特性毎に用意しておき、原稿画像データにその原稿特性に対応したルックアップテーブル２１を適用して色変換してもよい。
【０１１２】
また、図示していないが、色変換手段１２は、基準とする原稿特性の色変換特性に基づいたスキャナープロファイル２２またはルックアップテーブル２１等の色変換テーブルを保持し、原稿画像データの原稿特性に対応して当該基準の色変換テーブルを補正し、補正した色変換テーブルに基づいて画像データの色変換を行ってもよい。これによると、色変換手段１２は、原稿画像データの原稿特性毎に色変換テーブルを保持しておく必要がなく、使用メモリの容量を少なくできる。
【０１１３】
なお、上記の実施の形態例では、原稿特性が当該原稿画像を印刷したプリンターの装置識別名である例と、当該原稿画像が印刷された紙の種別である例に分けて説明した。しかし、原稿特性は、当該原稿画像を印刷したプリンターの装置識別名と当該原稿画像が印刷された紙の種別との組み合わせであってもよい。例えば、原稿画像データに、プリンターＢによって再生紙に印刷されたことを表す原稿特性情報が付加されている場合、色変換手段１２は、当該原稿画像データを、プリンターＢによって再生紙に印刷されたパッチ画像に基づいて生成されたスキャナープロファイルによって色変換する。
【０１１４】
また、原稿特性は、原稿画像を印刷したプリンターの装置識別名、原稿画像が印刷された紙の種別に限られるものではなく、原稿画像の複写時に設定された写真／文字モード、所定の色調整等のモードや複写濃度の設定等の条件であってもよい。また、原稿画像を印刷したプリンターの装置識別名は、「レーザープリンター」「インクジェットプリンター」等のプリンターの種別であっても良いし、「特性Ａ」「特性Ｂ」のように所定の特性を表す識別情報であってもよい。色変換手段１２は、原稿画像データの原稿特性が示す条件に対応したパッチ画像に基づいて生成された色変換テーブルを適用して当該原稿画像データの色変換処理を行う。
【０１１５】
［第２の実施の形態例］
第２の実施の形態例の画像処理装置では、原稿画像データの原稿特性を取得し、当該原稿特性に対応した基準画像データに基づいて色変換特性に所定の調整を加えた色変換特性により原稿画像データを色変換することによって、原稿画像データにとって最適な色変換処理を行うものである。
【０１１６】
第２の実施の形態例の画像処理装置は、第１の実施の形態例と同様である。第２の実施の形態例における色変換特性とは、印刷手段１３がパッチ画像データを印刷した場合の、パッチ画像データと印刷画像との印刷特性に基づいて生成される色変換特性であり、当該色変換特性には所定の調整が加えられることがある。所定の調整とは、例えば、画像データを印刷手段１３によって濃い目に印刷する黒強調等である。
【０１１７】
本実施の形態例の画像処理装置は、原稿特性毎に、その原稿特性に対応する画像データ（基準画像データ）に基づいて色変換特性に所定の調整を加えたプリンタープロファイル２３を有する。従って、第１の実施の形態例の画像処理装置が図１のスキャナープロファイル２２に係る色変換処理に特徴を有していたのに対し、第２の実施の形態例の画像処理装置は、プリンタープロファイル２３に係る色変換処理に特徴を有する。以下、まず、プリンタープロファイル２３に黒強調を加える例について説明する。
【０１１８】
図１３は、プリンターＡ、Ｂ、複合機Ｘ１０の印刷手段１３のパッチ画像による色域特性１３１、１３２、１３３を表す図である。色域特性は実際には３次元座標値で示されるが、簡易的に２次元座標で示している。図１３のように、各プリンター及び印刷手段の色域特性１３１、１３２、１３３は、必ずしも全く同一ではない。
【０１１９】
図１３において、Ｆ２１:Ｌ*ａ*ｂ*（13，5，7）は、黒色を示すＲＧＢ:（0，0，0）の画像データに対応するプリンターＡの印刷画像の測色値である。同様にして、Ｆ３１:Ｌ*ａ*ｂ*（10，8，3）は、ＲＧＢ:（0，0，0）の画像データに対応するプリンターＢの印刷画像の測色値であり、Ｆ４１:Ｌ*ａ*ｂ*（8，3，5）は、複合機Ｘ１０の印刷手段１３の印刷画像の測色値である。色Ｆ２１、３１、４１のうち、Ｆ４１が最も暗く、Ｆ２１が最も明るい色である。即ち、複合機Ｘ１０の印刷手段１３はＲＧＢ:（0，0，0）の画像データに対して、プリンターＡ、Ｂに比べてより暗い色を印刷できるものとする。
【０１２０】
図１４は、プリンターＡが印刷した原稿画像データＡ（Ｆ２１）に、黒強調を加えたプリンタープロファイルを適用する場合の色の変移を表す図である。原稿画像Ａ１４１は、黒色を示すＲＧＢａ:（0，0，0）の画像データをプリンターＡにより印刷した画像であり、色Ｆ２１を有する。また、色Ｆ２１をスキャナー手段１１で読み取った値は、Ｆ２１´:ＲＧＢ（8，5，8）であるものとする。従って、スキャナープロファイルＡ４３は、Ｆ２１´をＦ２１に変換する色変換特性を有する。
【０１２１】
一方、複合機Ｘ１０の印刷手段１３は、図１３に示すとおり、黒色を表すＲＧＢ:（0，0，0）画像データに対して色Ｆ４１の画像を印刷する印刷特性を有する。従って、通常の、複合機Ｘ１０の印刷手段１３に対応するプリンタープロファイル１４２は、Ｆ４１をＲＧＢ:（0，0，0）に変換する色変換特性を有する。それに伴って、色Ｆ４１より明るい色も同様の比率でＲＧＢ値に変換される。
【０１２２】
まず、通常のプリンタープロファイル１４２（黒強調なし）を適用して色変換する処理について説明する。図１４において、複合機Ｘ１０のスキャナー手段１１は、原稿画像Ａ１４１（Ｆ２１）を読み取り、色Ｆ２１´を有する原稿画像データＡを生成する。そして、色変換手段１２は、原稿画像データＡ（Ｆ２１´）に対してスキャナープロファイルＡ４３を適用し、原稿画像データＡの色をＦ２１´からＦ２１に変換する。続いて、色変換手段１２は、色Ｆ２１´を有する原稿画像データＡに対して、プリンタープロファイル１４２を適用する。
【０１２３】
上述したとおり、プリンタープロファイル１４２は、複合機Ｘ１０の印刷手段１３に対応する色変換特性を有しており、図１３中の色Ｆ４１をＲＧＢ（0，0，0）に変換し、他の色も同じ比率で変換する色変換特性を有する。そのため、原稿画像データＡ（Ｆ２１）に対してプリンタープロファイル１４２が適用されると、原稿画像データＡの色Ｆ２１:Ｌ*ａ*ｂ*（13，5，7）は、Ｆ２１ｘ´:ＲＧＢ（4，5，2）のようにＲＧＢ（0，0，0）より明るめの色に変換される。そのような原稿画像データＡ（Ｆ２１ｘ´）を複合機Ｘ１０の印刷手段１３で印刷した印刷画像１４５の色はＦ２１ｘ:Ｌ*ａ*ｂ*（13，5，7）、即ち、複合機Ｘ１０の印刷手段１３の印刷可能な最も暗い色Ｆ４１: Ｌ*ａ*ｂ*（8，3，5）よりも明るめの色となってしまう。
【０１２４】
そこで、ＲＧＢ（0，0，0）の画像データに対応する原稿画像データＡの色Ｆ２１:Ｌ*ａ*ｂ*（13，5，7）を、複合機Ｘ１０の印刷手段１３においても最も暗い色Ｆ４１:Ｌ*ａ*ｂ*（8，3，5）として印刷するために、プリンタープロファイルは黒強調を行う。原稿画像データＡ（Ｆ２１）に基づいて黒強調を行う場合、プリンタープロファイルには、ＲＧＢ（0，0，0）の画像データに対応する原稿画像データＡの色Ｆ２１:Ｌ*ａ*ｂ*（13，5，7）を、ＲＧＢ（0，0，0）に変換するような調整が加えられる。これが、黒強調である。
【０１２５】
即ち、原稿画像データＡ（Ｆ２１）に基づいて黒強調されたプリンタープロファイル（以下、プリンタープロファイル黒強調Ａ１４３）は、Ｆ２１より暗い色を全てＲＧＢ（0，0，0）に変換する色変換特性を有する。
【０１２６】
原稿画像データＡ（Ｆ２１）にプリンタープロファイル黒強調Ａ１４３が適用されると、原稿画像データＡのＦ２１はＲＧＢ（0，0，0）に変換され、プリンターＸの印刷手段１３が印刷可能な最も暗い色Ｆ４１として印刷される。これにより、ＲＧＢ（0，0，0）の画像データに対応する原稿画像Ａ１４１のＦ２１は、複合機Ｘ１０の印刷手段１３によって当該印刷手段１３が印刷可能な最も暗い色Ｆ４１として複写される。
【０１２７】
以上が、プリンタープロファイル２３が黒強調を行う例である。しかし、プリンタープロファイル黒強調Ａ１４３は、プリンターＡによる原稿画像データＡ（Ｆ２１）の色域に基づいて黒強調を行うプリンタープロファイルであるため、当該プリンタープロファイル黒強調Ａ１４３を、原稿画像データＡと原稿特性が異なるプリンターＢによる原稿画像データＢに適用すると適切な黒強調が行われない。
【０１２８】
即ち、図１３に示されるとおり、プリンタープロファイル黒強調Ａ１４３によれば、プリンターＡによる色Ｆ２１はＲＧＢ（0，0，0）に変換されるが、プリンターＢによる色Ｆ３１からＦ２１の間の色は全てＲＧＢ（0，0，0）に変換されてしまい、プリンターＢによる色Ｆ２１がＲＧＢ（0，0，0）より明るいＲＧＢ値に変換されない。そこで、本実施の形態例の色変換手段１２は、原稿画像データと原稿特性が同じ画像データに基づく色変換特性に黒強調を加えたプリンタープロファイルによって、原稿画像データの色変換を行う。以下、説明する。
【０１２９】
図１５は、原稿画像データＡ（Ｆ２１）に基づいて黒強調を行ったプリンタープロファイル黒強調Ａ１４３を、プリンターＢから印刷された原稿画像データＢ（Ｆ３１、Ｆ３２）に適用する場合の色の変移を表す図である。
【０１３０】
前提として、原稿画像Ｂ１５１は、黒色を示すＲＧＢａ:（0，0，0）の画像データを印刷した色Ｆ３１:Ｌ*ａ*ｂ*（10，8，3）と、暗いグレーを示すＲＧＢｂ:（10，10，10）の画像データを印刷した色Ｆ３２:Ｌ*ａ*ｂ*（13，0，0）とを有し、色Ｆ３１、３２のスキャナー手段１１による読み取り値は、それぞれＦ３１´:ＲＧＢ（8，6，3）、Ｆ３２´:ＲＧＢ（15，15，15）であるものとする。従って、第１の実施の形態例に基づいて、スキャナープロファイルＢ４４は、Ｆ３１´をＦ３１に、Ｆ３２´をＦ３２に変換する色変換特性を有する。
【０１３１】
複合機Ｘ１０のスキャナー手段１１は、原稿画像Ｂ１５１を読み取り、色Ｆ３１´、Ｆ３２´の原稿画像データＢを生成する。そして、色変換手段１２は、原稿画像データＢ（Ｆ３１´、Ｆ３２´）に対してスキャナープロファイルＢ４４を適用し、原稿画像データＢの色をＦ３１´からＦ３１に、Ｆ３２´からＦ３２に変換する。
【０１３２】
前述したとおり、プリンタープロファイル黒強調Ａ１４３は、図１３に示されるようにＦ２１より暗い色を全てＲＧＢ（0，0，0）に変換する色変換特性を有している。色Ｆ３１、Ｆ３２は、Ｆ２１:Ｌ*ａ*ｂ*（13，5，7）よりも暗い色であるため、原稿画像データＢ（Ｆ３１、Ｆ３２）にプリンタープロファイル黒強調Ａ１４３が適用されると、原稿画像データＢの色Ｆ３１、Ｆ３２は共に、ＲＧＢ（0，0，0）に変換されてしまう。つまり、Ｆ３１、Ｆ３２は異なる色であったにも関わらず同じ色として印刷され、画像が劣化してしまう。
【０１３３】
図１６は、複合機Ｘ１０の印刷手段１３の印刷特性（ａ）と、画像データＡ、Ｂに基づいて黒強調を行うプリンタープロファイルの色変換特性（ｂ）を表す図である。複合機Ｘ１０の印刷手段１３の印刷特性（ａ）の縦軸は印刷手段１３への入力値（ＲＧＢ）を、横軸は入力値に対応する印刷画像の値（Ｌ*ａ*ｂ*）の明度（Ｌ）を表す。色データ（Ｌ*ａ*ｂ*、ＲＧＢ）は共に３次元座標値であるが、簡易的にＬの横軸とＲＧＢを１次元で表した縦軸とで示している。図１６（ａ）によると、複合機Ｘ１０の印刷手段１３によってＲＧＢ（0，0，0）の画像データを印刷すると、色Ｆ４１の画像が印刷されることがわかる。
【０１３４】
また、図１６のプリンタープロファイルの色変換特性（ｂ）の横軸はプリンタープロファイルへの入力値（Ｌ*ａ*ｂ*）の明度（Ｌ）を、縦軸は入力値に対する出力値（ＲＧＢ）を表す。同図において、破線で表されている特性がプリンタープロファイル黒強調Ａ１４３であり、実線で表されている特性が、プリンターＢによる画像データに基づいて黒強調を行うプリンタープロファイル（プリンタープロファイル黒強調Ｂ１５２）である。図１６（ｂ）の破線のプリンタープロファイル黒強調Ａ１４３の色変換特性に基づくと、前述したとおり、色Ｆ３１、Ｆ３２は共にＲＧＢ（0，0，0）に変換される。
【０１３５】
図１５に戻り、本実施の形態例の色変換手段１２は、原稿画像データの原稿特性を取得し、原稿画像データと原稿特性（装置識別名）が同じ画像データに基づいて黒強調を行ったプリンタープロファイルよって原稿画像データの色変換を行う。即ち、色変換手段１２は、原稿画像データＢ（Ｆ３１、Ｆ３２）がプリンターＢによって印刷されたことを表す原稿特性情報「印刷装置：プリンターＢ」を取得し、プリンターＢによる画像データに基づいて色変換特性に黒強調を行ったプリンタープロファイル黒強調Ｂ１５２を適用して、原稿画像データＢ（Ｆ３１、Ｆ３２）の色変換処理を行う。
【０１３６】
図１３に示される通り、ＲＧＢ（0，0，0）の画像データに対応するプリンターＢの印刷画像の色はＦ３１である。そのため、プリンターＢによる画像データに基づいて色変換特性に黒強調を行う場合、プリンタープロファイル黒強調Ｂ１５２には、色Ｆ３１をＲＧＢ（0，0，0）に変換するような黒強調が行われる。即ち、プリンタープロファイル黒強調Ｂ１５２は、色Ｆ３１より暗い色を全てＲＧＢ（0，0，0）に変換し、色Ｆ３１からＦ２１の間の色はＲＧＢ（0，0，0）より明るいＲＧＢ値に変換する色変換特性を有する。
【０１３７】
図１６に戻り、プリンタープロファイル黒強調Ｂ１５２の色変換特性は、図１６（ｂ）の実線のような特性で表される。同図によると、プリンタープロファイル黒強調Ａ１４３が色Ｆ２１より暗い色（Ｆ３１を含む）をＲＧＢ（0，0，0）に変換するのに対して、プリンタープロファイル黒強調Ｂ１５２は色Ｆ３１より暗い色をＲＧＢ（0，0，0）に変換する。つまり、プリンタープロファイル黒強調Ｂ１５２は、プリンタープロファイル黒強調Ａ１４３よりも黒強調の度合いが小さい。
【０１３８】
図１６（ｂ）のプリンタープロファイル黒強調Ｂ１５２によると、色Ｆ３１はＦ３１ｂ´:ＲＧＢ（0，0，0）に、色Ｆ３２はＲＧＢ（0，0，0）より少し明るいＦ３２ｂ´:ＲＧＢ（6，6，6）に変換される。従って、原稿画像データＢのＦ３１、Ｆ３２が同じ色に変換されてしまうことはない。図１６（ａ）の複合機Ｘ１０の印刷手段１３の印刷特性１６１によると、変換されたＲＧＢの色Ｆ３１ｂ´、３２ｂ´は、複合機Ｘ１０の印刷手段１３によって、それぞれＦ３１ｂ（Ｆ４１）:Ｌ*ａ*ｂ*（8，3，5）、Ｆ３２ｂ:Ｌ*ａ*ｂ*（11，0，0）という異なった色として印刷される。
【０１３９】
従って、色変換手段１２は、原稿画像データＡ（Ｆ２１）については、その原稿特性（プリンターＡ）に対応する画像データに基づいて黒強調を行ったプリンタープロファイルＡ黒強調１４３よって色変換し、また、原稿画像データＢ（Ｆ３１、Ｆ３２）については、その原稿特性（プリンターＢ）に対応する画像データに基づいて黒強調を行ったプリンタープロファイルＢ黒強調１５２によって色変換することにより、それぞれの原稿画像データを、印刷時に最適な黒強調が行われる原稿画像データに色変換することができる。
【０１４０】
このように、本実施の形態例の画像処理装置は、原稿画像データの原稿特性情報を取得し、当該原稿特性に対応した基準画像データに基づいて色変換特性に所定の調整を加えた色変換特性（プリンタープロファイル２３、ルックアップテーブル２１）を適用して原稿画像データを色変換することによって、元の原稿画像データに最適な色変換処理が行われる。これにより、本実施の形態例の画像処理装置は、色変換処理によって印刷画像を劣化させることを防ぐことができる。
【０１４１】
第２の実施の形態例における色変換処理のフローチャート図は、第１の実施の形態例の図１１と同様である。色変換手段１２は原稿特性情報を取得し、原稿画像データに原稿特性情報が付加されている場合（Ｓ１２のＹＥＳ）、原稿特性に対応する画像データに基づいて所定の調整が加えられたルックアップテーブルによって、原稿画像データの色変換処理を行う（Ｓ１３）。一方、原稿画像データに原稿特性情報が付加されていない場合（Ｓ１２のＮＯ）、色変換手段１２はデフォルトの色変換特性を定義したルックアップテーブルによって、原稿画像データの色変換処理を行う（Ｓ１４）。
【０１４２】
続いて、複合機Ｘ１０は原稿画像データに、印刷される画像が複合機Ｘ１０によって印刷されたことを示す原稿特性情報を原稿画像データに付加し（Ｓ１５）、印刷手段１３によって印刷する（Ｓ１６）。印刷画像には複合機Ｘ１０の印刷手段１３によって印刷されたことを表す原稿特性情報が付加されているため、次回、当該印刷画像が別の複合機で複写される場合、別の複合機の色変換手段１２は、複合機Ｘ１０の印刷手段１３で印刷された画像データに基づいて所定の調整が加えられた色変換特性に基づいて原稿画像データを色変換することができる。
【０１４３】
なお、上記の例では、プリンタープロファイル２３に対して、複写するプリンターの印刷画像の色域に適合するように原稿画像データの色域を拡大する調整（黒強調）を行う例について説明してきたが、プリンタープロファイル２３に対する調整は黒強調に限定されない。例えば、原稿画像を印刷したプリンターの印刷色域よりも、当該原稿画像を複写するプリンターの印刷色域が狭い場合、プリンタープロファイル２３に対して、複写するプリンターの印刷画像の色域に適合するように原稿画像データの色域を縮小する調整（濃度抑制）が行われることがある。本実施の形態例の色変換処理は、このような濃度抑制を行うものにも用いられる。
【０１４４】
また、第１の実施の形態例と同様に、色変換手段１２は、基準とする原稿特性の色変換特性に基づいたプリンタープロファイル２３またはルックアップテーブル２１等の色変換テーブルを保持し、原稿画像データの原稿特性に対応して当該基準の色変換テーブルを補正し、補正した色変換テーブルに基づいて画像データの色変換を行ってもよい。これによると、色変換手段１２は、原稿画像データの原稿特性毎に色変換テーブルを保持しておく必要がなく、使用メモリの容量を少なくできる。
【０１４５】
また、第１の実施の形態例と第２の実施の形態例に分けて説明してきたが、第１の実施の形態例と第２の実施の形態例を組み合わせて実施してもよい。即ち、色変換手段１２は、原稿画像データの原稿特性に対応したパッチ画像に基づいて生成される色変換特性（スキャナープロファイル）と、さらに、当該原稿特性に対応する画像データに基づいて色変換特性に所定の調整を加えた色変換特性（プリンタープロファイル）とに基づいて原稿画像データを色変換する。これにより、色変換手段１２は、原稿画像データを原稿画像に忠実な色に変換した上で、さらに、当該原稿画像データを印刷時に最適な調整が行われる原稿画像データに色変換することができる。
【０１４６】
以上、上記の実施の形態例は、複合機Ｘ１０の色変換手段１２の処理として説明してきたが、色変換手段１２の処理は、コンピューター読み取り可能な記録媒体にプログラムとして記憶されて、当該プログラムをコンピューターが読み出して実行することによって行われてもよい。
【符号の説明】
【０１４７】
１０：複合機Ｘ、１１：スキャナー手段（画像読み取り手段）、１２：色変換手段、１３：印刷手段、２１：ルックアップテーブル、２２：スキャナープロファイル、２３：プリンタープロファイル、３１：印刷処理、３２：印刷エンジン
【図１】
2011151486.tif 000003
【図２】
2011151486.tif 000004
【図３】
2011151486.tif 000005
【図４】
2011151486.tif 000006
【図５】
2011151486.tif 000007
【図６】
2011151486.tif 000008
【図７】
2011151486.tif 000009
【図８】
2011151486.tif 000010
【図９】
2011151486.tif 000011
【図１０】
2011151486.tif 000012
【図１１】
2011151486.tif 000013
【図１２】
2011151486.tif 000014
【図１３】
2011151486.tif 000015
【図１４】
2011151486.tif 000016
【図１５】
2011151486.tif 000017
【図１６】
2011151486.tif 000018
【図１７】
2011151486.tif 000019